(57)【要約】【課題】  例えば植木鉢を載せたり、植物の花や造花などの花類の切り花を直接に飾ったりでき、しかも組立や分解を容易に行うことのできる花類載置台を提供することにある。【解決手段】  第１脚部２と第２脚部３を十字状に交差係合し、交差係合した第１脚部２と第２脚部３の中心部位に差込筒４を挿入係合し、中心部周辺上に載置板５を挿入係合し、交差係合した第１脚部２と第２脚部３の外周縁の下部及び上部に下部環状保持枠６及び上部環状保持枠７を挿入係合し、組立分解自在とした。【選択図】        図１
0003101919.tif 000002
【実用新案登録請求の範囲】
【請求項１】
植木鉢を載せたり、植物の花や造花などの花類の切り花を直接に飾ったりするものであって、第１脚部と第２脚部を交差係合し、交差係合した第１脚部と第２脚部の中心部位に差込筒を挿入係合し、第１脚部と第２脚部の中心部周辺上に載置板の外周縁を挿入係合し、交差係合した第１脚部と第２脚部の外周縁の下部及び上部に下部環状保持枠及び上部環状保持枠の内周縁を挿入係合し、組立分解自在としたことを特徴とする花類載置台。
【請求項２】
植木鉢を載せたり、植物の花や造花などの花類の切り花を直接に飾ったりする花類載置台を、第１脚部、第２脚部、差込筒、載置板、下部環状保持枠及び上部環状保持枠の各板状部材から構成すると共に、
前記第１脚部を構成する中央横基板の左右両端下部側に下側に延びる脚片を形成し、第１脚部の中央横基板の左右両端上部側に上側に延びる上部脚片を形成し、左右の上部脚片下端の間に前記載置板が接置される水平な直線上の上辺を形成し、第１脚部の中央横基板の中央下部側に前記第２脚部と互いに上下に交差係合する第２脚部係合溝を上下方向に形成し、第２脚部係合溝を挟んでその両側の中央横基板の上部側に前記差込筒が挿入係合される差込筒係合溝を上下方向に各々形成し、左右の上記上部脚片上部の外縁側に前記上部環状保持枠の内周縁側が挿入係合され溝下辺側が外側に突出する上部係合溝を水平方向に各々形成し、左右の当該上部係合溝の下方側の外縁側に前記下部環状保持枠の内周縁側が挿入係合され溝下辺側が外側に突出する下部係合溝を水平方向に各々形成し、上記第１脚部の中央横基板の上辺の左右両端に前記載置板の外周縁側が挿入係合される載置板係合溝を水平方向に各々形成し、
前記第２脚部を構成する中央横基板の左右両端下部側に下側に延びる脚片を形成し、第２脚部の中央横基板の左右両端上部側に上側に延びる上部脚片を形成し、左右の上部脚片下端の間に前記載置板が接置される水平な直線上の上辺を形成し、第２脚部の中央横基板の中央上部側に前記第１脚部と互いに上下交差係合する第１脚部係合溝を上下方向に形成し、第１脚部係合溝を挟んでその両側の中央横基板の上部側に前記差込筒が挿入係合される差込筒係合溝を上下方向に各々形成し、左右の上記上部脚片上部の外縁側に前記上部環状保持枠の内周縁側が挿入係合され溝下辺側が外側に突出する上部係合溝を水平方向に各々形成し、左右の当該上部係合溝の下方側の外縁側に前記下部環状保持枠の内周縁側が挿入係合され溝下辺側が外側に突出する下部係合溝を水平方向に各々形成し、上記第２脚部の中央横基板の上辺の左右両端に前記載置板の外周縁側が挿入係合される載置板係合溝を水平方向に各々形成し、
前記差込筒を筒形状から形成すると共に筒形を構成する側周板の下部側に、前記第１脚部及び第２脚部に挿入係合される係合溝を所定等間隔で上下方向に各々形成し、
前記載置板の中央に孔を形成すると共にその外周縁に、前記第１脚部及び第２脚部の各載置板係合溝に挿入係合され直径が大なる箇所に位置する係合突起縁と、前記第１脚部及び第２脚部の左右の載置板係合溝の溝出入口間の長さより短い直径箇所に位置する係合解除縁とを等間隔で交互に形成し、
前記下部環状保持枠の中央に孔を形成すると共にその内周縁に、前記第１脚部及び第２脚部の下部係合溝に挿入係合され内径が小なる箇所に位置する内周係合突起縁と、前記第１脚部及び第２脚部の左右の下部係合溝の溝出入口間の長さより大なる内径箇所に位置する内周係合解除縁とを等間隔で交互に形成し、
前記上部環状保持枠の中央に孔を形成すると共にその内周縁に、前記第１脚部及び第２脚部の上部係合溝に挿入係合され内径が小なる箇所に位置する内周係合突起縁と、前記第１脚部及び第２脚部の左右の上部係合溝の溝出入口間の長さより大なる内径箇所に位置する内周係合解除縁とを等間隔で交互に形成し、
組立分解自在としたことを特徴とする花類載置台。
【考案の詳細な説明】
【技術分野】
【０００１】
この考案は、例えば植木鉢を載せたり、植物の花や造花などの花類の切り花を直接に飾ったりでき、しかも組立分解が容易な花類載置台に関するものである。
【背景技術】
【０００２】
先行技術調査依頼報告書の先行調査の結果によれば、本願考案に関連する先行技術として以下の特許文献１〜特許文献５が示されている。
【特許文献１】実開平０１−９６５０８
【特許文献２】特開２０００−２０２１６８
【特許文献３】実開平０２−１３１４９３
【特許文献４】実願平０９−６５６４（登録第３０４４７４６）
【特許文献５】実開昭６３−１２６６０６
【考案の開示】
【考案が解決しようとする課題】
【０００３】
しかしながら、前記特許文献１〜特許文献５には、例えば植木鉢を載せたり、植物の花や造花などの花類の切り花を直接に飾ったりでき、しかも組立や分解を容易に行うものは見いだされなかった。
【０００４】
この考案は、上記のような課題に鑑み、その課題を解決すべく創案されたものであって、その目的とするところは、例えば植木鉢を載せたり、植物の花や造花などの花類の切り花を直接に飾ったりでき、しかも組立や分解を容易に行うことのできる花類載置台を提供することにある。
【課題を解決するための手段】
【０００５】
以上の目的を達成するために、請求項１の考案は、植木鉢を載せたり、植物の花や造花などの花類の切り花を直接に飾ったりするものであって、第１脚部と第２脚部を交差係合し、交差係合した第１脚部と第２脚部の中心部位に差込筒を挿入係合し、第１脚部と第２脚部の中心部周辺上に載置板の外周縁を挿入係合し、交差係合した第１脚部と第２脚部の外周縁の下部及び上部に下部環状保持枠及び上部環状保持枠の内周縁を挿入係合し、組立分解自在とした手段よりなるものである。
また、請求項２の考案は、植木鉢を載せたり、植物の花や造花などの花類の切り花を直接に飾ったりする花類載置台を、第１脚部、第２脚部、差込筒、載置板、下部環状保持枠及び上部環状保持枠の各板状部材から構成すると共に、前記第１脚部を構成する中央横基板の左右両端下部側に下側に延びる脚片を形成し、第１脚部の中央横基板の左右両端上部側に上側に延びる上部脚片を形成し、左右の上部脚片下端の間に前記載置板が接置される水平な直線上の上辺を形成し、第１脚部の中央横基板の中央下部側に前記第２脚部と互いに上下に交差係合する第２脚部係合溝を上下方向に形成し、第２脚部係合溝を挟んでその両側の中央横基板の上部側に前記差込筒が挿入係合される差込筒係合溝を上下方向に各々形成し、左右の上記上部脚片上部の外縁側に前記上部環状保持枠の内周縁側が挿入係合され溝下辺側が外側に突出する上部係合溝を水平方向に各々形成し、左右の当該上部係合溝の下方側の外縁側に前記下部環状保持枠の内周縁側が挿入係合され溝下辺側が外側に突出する下部係合溝を水平方向に各々形成し、上記第１脚部の中央横基板の上辺の左右両端に前記載置板の外周縁側が挿入係合される載置板係合溝を水平方向に各々形成し、前記第２脚部を構成する中央横基板の左右両端下部側に下側に延びる脚片を形成し、第２脚部の中央横基板の左右両端上部側に上側に延びる上部脚片を形成し、左右の上部脚片下端の間に前記載置板が接置される水平な直線上の上辺を形成し、第２脚部の中央横基板の中央上部側に前記第１脚部と互いに上下交差係合する第１脚部係合溝を上下方向に形成し、第１脚部係合溝を挟んでその両側の中央横基板の上部側に前記差込筒が挿入係合される差込筒係合溝を上下方向に各々形成し、左右の上記上部脚片上部の外縁側に前記上部環状保持枠の内周縁側が挿入係合され溝下辺側が外側に突出する上部係合溝を水平方向に各々形成し、左右の当該上部係合溝の下方側の外縁側に前記下部環状保持枠の内周縁側が挿入係合され溝下辺側が外側に突出する下部係合溝を水平方向に各々形成し、上記第２脚部の中央横基板の上辺の左右両端に前記載置板の外周縁側が挿入係合される載置板係合溝を水平方向に各々形成し、前記差込筒を筒形状から形成すると共に筒形を構成する側周板の下部側に、前記第１脚部及び第２脚部に挿入係合される係合溝を所定等間隔で上下方向に各々形成し、前記載置板の中央に孔を形成すると共にその外周縁に、前記第１脚部及び第２脚部の各載置板係合溝に挿入係合され直径が大なる箇所に位置する係合突起縁と、前記第１脚部及び第２脚部の左右の載置板係合溝の溝出入口間の長さより短い直径箇所に位置する係合解除縁とを等間隔で交互に形成し、前記下部環状保持枠の中央に孔を形成すると共にその内周縁に、前記第１脚部及び第２脚部の下部係合溝に挿入係合され内径が小なる箇所に位置する内周係合突起縁と、前記第１脚部及び第２脚部の左右の下部係合溝の溝出入口間の長さより大なる内径箇所に位置する内周係合解除縁とを等間隔で交互に形成し、前記上部環状保持枠の中央に孔を形成すると共にその内周縁に、前記第１脚部及び第２脚部の上部係合溝に挿入係合され内径が小なる箇所に位置する内周係合突起縁と、前記第１脚部及び第２脚部の左右の上部係合溝の溝出入口間の長さより大なる内径箇所に位置する内周係合解除縁とを等間隔で交互に形成し、組立分解自在とした手段よりなるものである。
【考案の効果】
【０００６】
以上の記載より明らかなように、この考案に係る花類載置台によれば、例えば植木鉢を載せたり、植物の花や造花などの花類の切り花を直接に飾ったりでき、しかも花類載置台の組立分解を容易に行うことができ、このため、老人や子供が花類載置台の組立作業やその分解作業を楽しんで行うことができる。このように、手の運動機能が衰え始めた老人や手の運動機能が発達中の子供にとって、手の機能訓練になると共に楽しみながらこの作業を行うことができる。特に、老人にとっては手の運動機能の低下防止や頭のぼけ防止等に利用できる等、極めて実用的有益なる効果を奏するものである。
【考案を実施するための最良の形態】
【０００７】
以下、図面に記載の考案を実施するための最良の形態に基づいて、この考案をより具体的に説明する。
ここで、図１は花類載置台の斜視図、図２は花類載置台の側面図、図３は花類載置台の平面図、図４は第１脚部の正面図、図５は第２脚部の正面図、図６は差込筒の斜視図、図７は載置板の平面図、図８は下部環状保持枠の平面図、図９は上部環状保持枠の平面図である。
【０００８】
図において、花類載置台１は、例えば植木鉢を載せたり、植物の花や造花などの花類の切り花を直接に飾ったりでき、しかも組立分解が自在なものであり、第１脚部２、第２脚部３、差込筒４、載置板５、下部環状保持枠６及び上部環状保持枠７の各板状部材から構成される。また、各部材の材質としては例えば、木製、金属製、プラスチック製の各種の材料が使用可能である。
【０００９】
第１脚部２は、板状の左右対称の形状からなり、中央部位には左右方向に延びる中央横基板２１が形成されている。中央横基板２１の左右両端側を除く上部側には水平な直線状の上辺２１ａが形成されており、中央横基板２１の左右両端側を除く下部側には上辺２１ａと上下で略平行な下辺２１ｂが形成されている。
【００１０】
中央横基板２１の長さ方向の中心位置の下部側例えば下半分側には第２脚部３と上下に十字状に直交して係合する第２脚部係合溝２５が下辺２１ｂの中心位置から上向きに形成されている。第２脚部係合溝２５の溝長さは中央横基板２１の上辺２１ａと下辺２１ｂ間の高さの略半分であり、又第２脚部係合溝２５の溝幅は第２脚部３の後述する中央横基板３１の板厚より僅かに広く、この第２脚部係合溝２５内に第２脚部３の中央横基板３１の一部が挿入して係合される構造になっている。
【００１１】
また、中央横基板２１の上部側例えば上半分側には上辺２１ａの長さ方向の中心位置から両側に同じ長さだけ離れた位置に円筒形からなる差込筒４と上下に交差して係合する差込筒係合溝２６，２６がそれぞれ下向きに形成されている。両差込筒係合溝２６，２６の溝長さは中央横基板２１の上辺２１ａと下辺２１ｂ間の高さの略半分であり、又両差込筒係合溝２６，２６の溝幅は差込筒４の後述する側周板４１の板厚より僅かに広く、この両差込筒係合溝２６，２６内に差込筒４の側周板４１の一部が挿入して係合される構造になっている。
【００１２】
中央横基板２１の左右両端下部側には外側に向けて僅かに弧状に開きながら下側に延びる脚片２２，２２が連接状態で形成されている。この両脚片２２，２２の下端側は互いに向き合うように内側に向けて折曲されている。脚片２２，２２の下端は床面に直に接置して花類載置台１を支える役目を果たす。
【００１３】
また、左右の脚片２２，２２の上部側となる中央横基板２１の左右両端の外縁側には、下部環状保持枠６の内周縁と水平向きに交差して係合する下部係合溝２７，２７がそれぞれ水平向きに形成されている。両下部係合溝２７，２７の溝下辺側２７ａ，２７ａは溝上辺側よりそれぞれ外側に少し長く突出していて、溝上辺側の出入口より少し長く外側に突出している溝下辺側２７ａ，２７ａの上に係合前又は係合解除時に下部環状保持枠６の後述する内周係合解除縁６３が載っている。又両下部係合溝２７，２７の溝幅は下部環状保持枠６の板厚より僅かに広く、この両下部係合溝２７，２７内に下部環状保持枠６の後述する内周係合突起縁６２の一部が挿入して係合される構造になっている。
【００１４】
中央横基板２１の左右両端上部側には上側に延びる上部脚片２３，２３が連接状態で形成されている。両上部脚片２３，２３は下側の両脚片２２，２２よりやや中央寄り側から上側に形成されている。各上部脚片２３，２３の中央寄り側となる内縁側２３ａ，２３ａは中央側に向けて僅かに斜め下向きに直線状に傾斜する傾斜辺にそれぞれ形成されている。
【００１５】
各上部脚片２３，２３の内縁側２３ａ，２３ａの下端側は中央横基板２１の上辺２１ａの両端側と接しており、上辺２１ａの両端側と接する各内縁側２３ａ，２３ａの下端側には、載置板５の外周縁の後述する係合突起縁５２と水平向きに交差して係合する載置板係合溝２８，２８がそれぞれ水平向きに形成されている。両載置板係合溝２８，２８の溝幅は載置板５の板厚より僅かに広く、この両載置板係合溝２８，２８内に載置板５の外周縁の係合突起縁５２一部が挿入して係合される構造になっている。
【００１６】
また、左右の上部脚片２３，２３の上部側の外縁側２３ｂ，２３ｂには、上部環状保持枠７の内周縁と水平向きに交差して係合する上部係合溝２９，２９がそれぞれ水平向きに形成されている。両上部係合溝２９，２９の溝下辺側２９ａ，２９ａは溝上辺側よりそれぞれ外側に少し長く突出していて、溝上辺側の出入口より少し長く外側に突出している溝下辺側２９ａ，２９ａの上に係合前又は係合解除時に上部環状保持枠７の後述する内周係合解除縁７３が載っている。又両上部係合溝２９，２９の溝幅は上部環状保持枠７の板厚より僅かに広く、この両上部係合溝２９，２９内に上部環状保持枠７の内周縁の一部が挿入して係合される構造になっている。
【００１７】
また、図においては、第１脚部２の中央横基板２１の両側には、例えば花の図柄の打ち抜き２１ｃ、２１ｃがそれぞれ形成されているが、両打ち抜き２１ｃ、２１ｃは必要に応じて省略してもよい。
【００１８】
第２脚部３は、脚部係合溝３ａの形成位置が異なる以外は前記第１脚部２と全く同一の形状から形成されている。即ち、第２脚部３は板状の左右対称の形状からなり、中央部位には左右方向に延びる中央横基板３１が形成されている。中央横基板３１の左右両端側を除く上部側には水平な直線状の上辺３１ａが形成されており、中央横基板３１の左右両端側を除く下部側には上辺３１ａと上下で略平行な下辺３１ｂが形成されている。
【００１９】
中央横基板３１の長さ方向の中心位置の下部側例えば下半分側には第１脚部２と上下に十字状に直交して係合する第１脚部係合溝３５が下辺３１ｂの中心位置から上向きに形成されている。第１脚部係合溝３５の溝長さは中央横基板３１の上辺３１ａと下辺３１ｂ間の高さの略半分であり、又第１脚部係合溝３５の溝幅は第１脚部２の前述する中央横基板２１の板厚より僅かに広く、この第１脚部係合溝３５内に第１脚部２の中央横基板２１の一部が挿入して係合される構造になっている。
【００２０】
また、中央横基板３１の上部側例えば上半分側には上辺３１ａの長さ方向の中心位置から両側に同じ長さだけ離れた位置に円筒形からなる差込筒４と上下に交差して係合する差込筒係合溝３６，３６がそれぞれ下向きに形成されている。両差込筒係合溝３６，３６の溝長さは中央横基板３１の上辺３１ａと下辺３１ｂ間の高さの略半分であり、又両差込筒係合溝３６，３６の溝幅は差込筒４の後述する側周板４１の板厚より僅かに広く、この両差込筒係合溝３６，３６内に差込筒４の側周板４１の一部が挿入して係合される構造になっている。
【００２１】
中央横基板３１の左右両端下部側には外側に向けて僅かに弧状に開きながら下側に延びる脚片３２，３２が連接状態で形成されている。この両脚片３２，３２の下端側は互いに向き合うように内側に向けて折曲されている。脚片３２，３２の下端は床面に直に接置して花類載置台１を支える役目を果たす。
【００２２】
また、左右の脚片３２，３２の上部側となる中央横基板３１の左右両端の外縁側には、下部環状保持枠６の内周縁と水平向きに交差して係合する下部係合溝３７，３７がそれぞれ水平向きに形成されている。両下部係合溝３７，３７の溝下辺側３７ａ，３７ａは溝上辺側よりそれぞれ外側に少し長く突出していて、溝上辺側の出入口より少し長く外側に突出している溝下辺側３７ａ，３７ａの上に係合前又は係合解除時に下部環状保持枠６の後述する内周係合解除縁６３が載っている。又両下部係合溝３７，３７の溝幅は下部環状保持枠６の板厚より僅かに広く、この両下部係合溝３７，３７内に下部環状保持枠６の後述する内周係合突起縁６２の一部が挿入して係合される構造になっている。
【００２３】
中央横基板３１の左右両端上部側には上側に延びる上部脚片３３，３３が連接状態で形成されている。両上部脚片３３，３３は下側の両脚片３２，３２よりやや中央寄り側から上側に形成されている。各上部脚片３３，３３の中央寄り側となる内縁側３３ａ，３３ａは中央側に向けて僅かに斜め下向きに直線状に傾斜する傾斜辺にそれぞれ形成されている。
【００２４】
各上部脚片３３，３３の内縁側３３ａ，３３ａの下端側は中央横基板３１の上辺３１ａの両端側と接しており、上辺３１ａの両端側と接する各内縁側３３ａ，３３ａの下端側には、載置板５の外周縁の後述する係合突起縁５２と水平向きに交差して係合する載置板係合溝３８，３８がそれぞれ水平向きに形成されている。両載置板係合溝３８，３８の溝幅は載置板５の板厚より僅かに広く、この両載置板係合溝３８，３８内に載置板５の外周縁の係合突起縁５２一部が挿入して係合される構造になっている。
【００２５】
また、左右の上部脚片３３，３３の上部側の外縁側３３ｂ，３３ｂには、上部環状保持枠７の内周縁と水平向きに交差して係合する上部係合溝３９，３９がそれぞれ水平向きに形成されている。両上部係合溝３９，３９の溝下辺側３９ａ，３９ａは溝上辺側よりそれぞれ外側に少し長く突出していて、溝上辺側の出入口より少し長く外側に突出している溝下辺側３９ａ，３９ａの上に係合前又は係合解除時に上部環状保持枠７の後述する内周係合解除縁７３が載っている。又両上部係合溝３９，３９の溝幅は上部環状保持枠７の板厚より僅かに広く、この両上部係合溝３９，３９内に上部環状保持枠７の内周縁の一部が挿入して係合される構造になっている。
【００２６】
また、図においては、第２脚部３の中央横基板３１の両側には、例えば花の図柄の打ち抜き３１ｃ，３１ｃがそれぞれ形成されているが、両打ち抜き３１ｃ，３１ｃは必要に応じて省略してもよい。
【００２７】
差込筒４は、植物の花や造花などの花類の切り花を直接に飾る場合に枝や茎部分が挿入される箇所であり、また植木針を載せた場合には植木鉢から流れ出る水の排出通路としての役目も果たすし、さらに、十字状に直交交差して係合された第１脚部２と第２脚部３とを強固に係合して中心部の直交角度が変動するのを防ぐ機能も果たすものであり、前記第１脚部２と第２脚部３とが十字状に交差する中心部分に上下方向から係合して取り付けられる。
【００２８】
差込筒４は例えば円筒形の形状からなり、円形の側周板４１の下部側例えば下半分側には前記第１脚部２の中央横基板２１の差込筒係合溝２６，２６及び前記第２脚部３の中央横基板３１の差込筒係合溝３６，３６と上下方向から係合する係合溝４ａが上下方向に複数形成されている。係合溝４ａは９０度の角度の等間隔で４箇所に形成されている。各係合溝４ａの溝長さは側周板４１の上下高さの略半分であり、又各係合溝４ａの溝幅は中央横基板２１及び中央横基板３１の板厚より僅かに広く、差込筒４の側周板４１に形成されたこの各係合溝４ａが差込筒係合溝２６，２６及び差込筒係合溝３６，３６内に互いに挿入し合って係合される構造になっている。
【００２９】
また、図においては、差込筒４の側周板４１の一部には、例えば花の図柄の打ち抜き４１ａが形成されているが、打ち抜き４１ａは必要に応じて省略してもよい。
【００３０】
載置板５は、植木針をその上に直に載せて支持するもので、前記第１脚部２の中央横基板２１の上辺２１ａ及び第２脚部３の中央横基板３１の上辺３１ａ上に接置して支持されており、又環状板から形成されている。環状板からなる載置板５の中央部分には円筒形の差込筒４の直径よりも僅かに小さめの円形孔５１が形成されている。
【００３１】
載置板５の外周縁は９０度の角度の等間隔で凸型弧状が形成され、各凸型弧状の中点位置に載置板５の直径が最大となる係合突起縁５２が形成されている。また隣合う凸型弧状の端部同士の接点位置に載置板５の直径が最小となる係合解除縁５３が形成されている。係合突起縁５２は９０度の角度の等間隔で４箇所、同様に係合解除縁５３は隣合う各係合突起縁５２と４５度の角度ずれた中間点位置に９０度の角度の等間隔で４箇所、それぞれ形成されている。載置板５の外周縁の形状は４箇所の係合突起縁５２及び係合解除縁５３によって緩やかな四つ葉の形状に近似している。
【００３２】
対角上にある両係合突起縁５２を結ぶ最大直径は、第１脚部２の中央横基板２１の上辺２１ａの両端側と接する各内縁側２３ａ，２３ａの下端側に形成された前記左右の両載置板係合溝２８，２８の両溝奥端までの長さより僅かに広く、この両載置板係合溝２８，２８内に載置板５の外周縁の係合突起縁５２一部が水平回りに挿入して係合される構造になっている。
【００３３】
これに対して、対角上にある両係合解除縁５３を結ぶ最小直径は、第１脚部２の中央横基板２１の上辺２１ａの両端側と接する各内縁側２３ａ，２３ａの下端側に形成された前記左右の両載置板係合溝２８，２８の両溝出入口までの長さより短く、載置板５を中央横基板２１の上辺２１ａ上に載せたり、上辺２１ａ上から取り外せる構造になっている。
【００３４】
同様に、対角上にある両係合突起縁５２を結ぶ最大直径は、第２脚部３の中央横基板３１の上辺３１ａの両端側と接する各内縁側３３ａ，３３ａの下端側に形成された前記左右の両載置板係合溝３８，３８の両溝奥端までの長さより僅かに広く、この両載置板係合溝３８，３８内に載置板５の外周縁の係合突起縁５２一部が水平回りに挿入して係合される構造になっている。
【００３５】
同様にまた、対角上にある両係合解除縁５３を結ぶ最小直径は、第２脚部３の中央横基板３１の上辺３１ａの両端側と接する各内縁側３３ａ，３３ａの下端側に形成された前記左右の両載置板係合溝３８，３８の両溝出入口までの長さより短く、載置板５を中央横基板３１の上辺３１ａ上に載せたり、上辺３１ａ上から取り外せる構造になっている。
【００３６】
下部環状保持枠６は、十字状に直交交差して係合された前記第１脚部２と第２脚部３とを強固に係合して中心部の直交角度が変動したりずれたりするのを防ぐ機能も果たすものであり、十字状に交差係合する第１脚部２と第２脚部３の外縁側の中間高さ位置に形成された下部係合溝２７，２７及び下部係合溝３７，３７に、後述する内周係合突起縁６２の一部が水平回りに挿入して係合される構造になっている。
【００３７】
下部環状保持枠６は外周縁が円形で、内側に大きな正八角形の内周孔６１が形成されており、正八角形の隣合う角点を結ぶ線の中点位置に内周孔６１の内周直径が最小となる内周係合突起縁６２が形成されている。また正八角形の各角点位置に内周孔６１の内周直径が最大となる内周係合解除縁６３が形成されている。内周係合突起縁６２は４５度の角度の等間隔で８箇所、同様に内周係合解除縁６３は隣合う各内周係合解除縁６３と２２，５度の角度ずれた角位置に４５度の角度の等間隔で８箇所、それぞれ形成されている。
【００３８】
対角上にある両内周係合突起縁６２を結ぶ最小直径は、第１脚部２の中央横基板２１の両外縁側の中間高さに形成された前記左右の両下部係合溝２７，２７の両溝奥端までの長さより僅かに短く、この両下部係合溝２７，２７内に下部環状保持枠６の内周孔６１の内周係合突起縁６２の一部が水平回りに挿入して係合される構造になっている。
【００３９】
これに対して、対角上にある両内周係合解除縁６３を結ぶ最大直径は、第１脚部２の中央横基板２１の両外縁側の中間高さに形成された前記左右の両下部係合溝２７，２７の上辺側の両溝出入口までの長さより広く、下部環状保持枠６を中央横基板２１の両下部係合溝２７，２７上に載せたり、両下部係合溝２７，２７上から取り外せる構造になっている。
【００４０】
同様に、対角上にある両内周係合突起縁６２を結ぶ最小直径は、第２脚部３の中央横基板３１の両外縁側の中間高さに形成された前記左右の両下部係合溝３７，３７の両溝奥端までの長さより僅かに短く、この両下部係合溝３７，３７内に下部環状保持枠６の内周孔６１の内周係合突起縁６２の一部が水平回りに挿入して係合される構造になっている。
【００４１】
同様にまた、対角上にある両内周係合解除縁６３を結ぶ最大直径は、第２脚部３の中央横基板３１の両外縁側の中間高さに形成された前記左右の両下部係合溝３７，３７の上辺側の両溝出入口までの長さより広く、下部環状保持枠６を中央横基板３１の両下部係合溝３７，３７上に載せたり、両下部係合溝３７，３７上から取り外せる構造になっている。
【００４２】
上部環状保持枠７は、十字状に直交交差して係合された前記第１脚部２と第２脚部３とを強固に係合して中心部の直交角度が変動したりずれたりするのを防ぐ機能も果たすものであり、十字状に交差係合する第１脚部２の左右の上部脚片２３，２３の上部側の外縁側２３ｂ，２３ｂに形成された上部係合溝上部係合溝２９，２９と、第２脚部３の左右の上部脚片３３，３３の上部側の外縁側３３ｂ，３３ｂに形成された上部係合溝上部係合溝３９，３９に、後述する係合内周突起縁の一部が水平回りに挿入して係合される構造になっている。
【００４３】
上部環状保持枠７は外周縁が下部環状保持枠６より小さな円形で、内側に大きな略正八角形状の内周孔７１が形成されており、略正八角形の隣合う角点を結ぶ線の中点位置に内周孔７１の内周直径が最小となる内周係合突起縁７２が形成されている。内周係合突起縁７２は少し内周孔７１の中心部に向けて緩やかな凸弧状に形成されている、略正八角形の各角点位置に内周孔７１の内周直径が最大となる内周係合解除縁７３が形成されている。内周係合突起縁７２は４５度の角度の等間隔で８箇所、同様に内周係合解除縁７３は隣合う各内周係合解除縁７３と２２，５度の角度ずれた角位置に４５度の角度の等間隔で８箇所、それぞれ形成されている。
【００４４】
対角上にある両内周係合突起縁７２を結ぶ最小直径は、第１脚部２の中央横基板２１の上部脚片２３，２３の上部側の外縁側２３ｂ，２３ｂに形成された前記左右の両上部係合溝２９，２９の両溝奥端までの長さより僅かに短く、この両上部係合溝２９，２９内に上部環状保持枠７の内周孔７１の内周係合突起縁７２の一部が水平回りに挿入して係合される構造になっている。
【００４５】
これに対して、対角上にある両内周係合解除縁７３を結ぶ最大直径は、第１脚部２の上部脚片２３，２３の上部側の外縁側２３ｂ，２３ｂに形成された前記左右の両上部係合溝２９，２９の上辺側の両溝出入口までの長さより広く、上部環状保持枠７を中央横基板２１の両上部係合溝２９，２９上に載せたり、両上部係合溝２９，２９上から取り外せる構造になっている。
【００４６】
同様に、対角上にある両内周係合突起縁７２を結ぶ最小直径は、第２脚部３の中央横基板３１の上部脚片３３，３３の上部側の外縁側３３ｂ，３３ｂに形成された前記左右の両上部係合溝３９，３９の両溝奥端までの長さより僅かに短く、この両上部係合溝３９，３９内に上部環状保持枠７の内周孔７１の内周係合突起縁７２の一部が水平回りに挿入して係合される構造になっている。
【００４７】
同様にまた、対角上にある両内周係合解除縁７３を結ぶ最大直径は、第２脚部３の上部脚片３３，３３の上部側の外縁側３３ｂ，３３ｂに形成された前記左右の両上部係合溝３９，３９の上辺側の両溝出入口までの長さより広く、上部環状保持枠７を中央横基板３１の両上部係合溝３９，３９上に載せたり、両上部係合溝３９，３９上から取り外せる構造になっている。
【００４８】
次に、上記考案を実施するための最良の形態の構成に基づく花類載置台の組立及び分解について以下説明する。なお、組立及び分解作業にあっては以下に述べる順序以外に途中で一部の順序を代えて行うことができるのは勿論である。
【００４９】
花類載置台１を組み立てる場合には、先ず、第１脚部２を上方に又第２脚部３を下方にして、第１脚部２と第２脚部３を上下を十字状に直交するようにし、下方の第２脚部３の中央横基板３１の上辺３１ａの真ん中位置にある第１脚部係合溝３５と、上方の第１脚部２の中央横基板２１の下辺２１ｂの真ん中位置にある第２脚部係合溝２５とを互いに上下に挿入し合って嵌め合わせる。
【００５０】
続いて、差込筒４を十字状に嵌め合わせた第１脚部２と第２脚部３の十字状の中心部位に上方から挿入して嵌め込む。即ち、差込筒４の側周板４１の下部側例えば下半分側に９０度の角度の等間隔で形成された４箇所の係合溝４ａを、中心位置の両側にそれぞれ形成された第１脚部２の中央横基板２１の差込筒係合溝２６，２６と第２脚部３の中央横基板３１の差込筒係合溝３６，３６とに上方から挿入して嵌め込む。
【００５１】
差込筒４を嵌め込んだ後、載置板５を十字状に嵌め合わせた第１脚部２の上辺２１ａ、第２脚部３の上辺３１ａ及び差込筒４の上に取り付ける。載置板５の直径が最小な位置の４箇所の係合解除縁５３を十字状の上辺２１ａと上辺３１ａの位置に合わせて上方から下ろしてその表面に接置し、載置板５を左右の何れかに回転させる。載置板５を回転させると直径が最大な位置の４箇所の係合突起縁５２が、上辺２１ａ及び上辺３１ａの両端にそれぞれ形成されている載置板係合溝２８，２８及び載置板係合溝３８，３８に係合されて嵌め込まれる。
【００５２】
その後、下部環状保持枠６及び上部環状保持枠７を第１脚部２及び第２脚部３の左右外縁側の中間高さ及び上部にそれぞれ取り付ける。下部環状保持枠６の内周径が最大な位置の内周係合解除縁６３を第１脚部２及び第２脚部３の左右外縁側の位置に合わせて上方から下ろし、第１脚部２の左右外縁側の中間高さ位置の下部係合溝２７，２７の外側に突出する溝下辺側２７ａ、２７ａの上及び第２脚部３の左右外縁側の中間高さ位置の下部係合溝３７，３７の外側に突出する溝下辺側３７ａ、３７ａの上にそれぞれ接置し、下部環状保持枠６を左右の何れかに回転させる。下部環状保持枠６を回転させると内周径が最小な位置の内周係合突起縁６２が、第１脚部２の及び第２脚部３の左右外縁側の中間高さ位置にそれぞれ形成されている下部係合溝２７，２７及び下部係合溝３７，３７に係合されて嵌め込まれる。
【００５３】
また、上部環状保持枠７の内周径が最大な位置の内周係合解除縁７３を第１脚部２及び第２脚部３の左右外縁側の位置に合わせて上方から下ろし、第１脚部２の左右上部脚片２３，２３の外縁側２３ａ，２３ａの上部位置の上部係合溝２９，２９の外側に突出する溝下辺側２９ａ、２９ａの上及び第２脚部３の左右上部脚片３３，３３の外縁側３３ａ，３３ａの上部位置の上部係合溝３９，３９の外側に突出する溝下辺側３９ａ、３９ａの上にそれぞれ接置し、上部環状保持枠７を左右の何れかに回転させる。上部環状保持枠７を回転させると内周径が最小な位置の内周係合突起縁７２が、第１脚部２の及び第２脚部３の左右上部脚片２３，２３及び上部脚片３３，３３の上部位置にそれぞれ形成されている上部係合溝２９，２９及び上部係合溝３９，３９に係合されて嵌め込まれる。以上の作業によって、花類載置台１は組み立てられる。
【００５４】
続いて、組み立てていた花類載置台１を分解する場合には、先ず、上部環状保持枠７及び下部環状保持枠６を取り外す。上部環状保持枠７を組立時と逆方向に回転して、上部係合溝２９，２９及び上部係合溝３９，３９に係合して嵌め込まれていた各内周係合突起縁７２を係合解除してこれらの溝から取り外す。逆方向に回転させた上部環状保持枠７の各内周係合解除縁７３が上部係合溝２９，２９の溝下辺側２９ａ，２９ａの上及び上部係合溝３９，３９の溝下辺側３９ａ，３９ａの上の位置にきた時点で回転を止めて、上部環状保持枠７を真上に引き上げて本体側から取り外す。
【００５５】
また、下部環状保持枠６を組立時と逆方向に回転して、下部係合溝２７，２７及び下部係合溝３７，３７に係合して嵌め込まれていた各内周係合突起縁６２を係合解除してこれらの溝から取り外す。逆方向に回転させた下部環状保持枠６の各内周係合解除縁６３が下部係合溝２７，２７の溝下辺側２７ａ，２７ａの上及び上部係合溝３７，３７の溝下辺側３７ａ，３７ａの上の位置にきた時点で回転を止めて、下部環状保持枠６を真上に引き上げて本体側から取り外す。
【００５６】
上部環状保持枠７及び下部環状保持枠６を取り外した後、載置板５を取り外す。載置板５を組立時と逆方向に回転して、載置板係合溝２８，２８及び載置板係合溝３８，３８に係合して嵌め込まれていた各係合突起縁５２を係合解除してこれらの溝から取り外す。逆方向に回転させた載置板５の各係合解除縁５３が第１脚部２の上辺２１ａ及び第２脚部３の上辺３１ａの上の位置にきた時点で回転を止めて、載置板５を真上に引き上げて本体側から取り外す。
【００５７】
その後、差込筒４を真上に引き上げて本体側から取り外し、最後に十字状に係合して嵌め込まれていた第１脚部２と第２脚部３とを上下に引き離して外すことによって、花類載置台１の分解作業は終了する。
【００５８】
以上のような簡単作業で花類載置台１を簡単に組み立てたり分解したりすることができ、手の運動機能が衰え始めた老人や手の運動機能が発達中の子供にとって、良い手の機能訓練になると共に楽しみながらこれを行うことができる。特に、老人にとっては手の運動機能の低下防止や頭のぼけ防止等に利用できる。
【００５９】
また、花類載置台１の使用方法としては、花類載置台１の中央の載置板５に植木鉢を載せて使用したり、載置板５の中央の円形孔５１内の差込筒４に植物の花や造花などの花類の切り花の枝や茎部分を直接差し込んで植物の花や造花などの花類の切り花を直接飾ったりして使用する。
【００６０】
なお、この考案は上記考案を実施するための最良の形態に限定されるものではなく、この考案の精神を逸脱しない範囲で種々の改変をなし得ることは勿論である。
【図面の簡単な説明】
【００６１】
【図１】この考案を実施するための最良の形態を示す花類載置台の斜視図である。
【図２】この考案を実施するための最良の形態を示す花類載置台の側面図である。
【図３】この考案を実施するための最良の形態を示す花類載置台の平面図である。
【図４】この考案を実施するための最良の形態を示す第１脚部の正面図である。
【図５】この考案を実施するための最良の形態を示す第２脚部の正面図である。
【図６】この考案を実施するための最良の形態を示す差込筒の斜視図である。
【図７】この考案を実施するための最良の形態を示す載置板の平面図である。
【図８】この考案を実施するための最良の形態を示す下部環状保持枠の平面図である。
【図９】この考案を実施するための最良の形態を示す上部環状保持枠の平面図である。
【符号の説明】
【００６２】
１    花類載置台
２    第１脚部
２１    中央横基板
２１ａ  上辺
２１ｂ  下辺
２１ｃ  打ち抜き
２２    脚片
２３    上部脚片
２３ａ  内縁側
２３ｂ  外縁側
２５    第２脚部係合溝
２６    差込筒係合溝
２７    下部係合溝
２７ａ  溝下辺側
２８    載置板係合溝
２９    上部係合溝
２９ａ  溝下辺側
３    第２脚部
３１    中央横基板
３１ａ  上辺
３１ｂ  下辺
３１ｃ  打ち抜き
３２    脚片
３３    上部脚片
３３ａ  内縁側
３３ｂ  外縁側
３５    第１脚部係合溝
３６    差込筒係合溝
３７    下部係合溝
３７ａ  溝下辺側
３８    載置板係合溝
３９    上部係合溝
３９ａ  溝下辺側
４    差込筒
４ａ  係合溝
４１    側周板
４１ａ  打ち抜き
５    載置板
５１    円形孔
５２    係合突起縁
５３    係合解除縁
６    下部環状保持枠
６１    内周孔
６２    内周係合突起縁
６３    内周係合解除縁
７    上部環状保持枠
７１    内周孔
７２    内周係合突起縁
７３    内周係合解除縁
【図１】
0003101919.tif 000003
【図２】
0003101919.tif 000004
【図３】
0003101919.tif 000005
【図４】
0003101919.tif 000006
【図５】
0003101919.tif 000007
【図６】
0003101919.tif 000008
【図７】
0003101919.tif 000009
【図８】
0003101919.tif 000010
【図９】
0003101919.tif 000011